(57)【要約】【課題】２つの画面表示装置を搭載し、バッテリ駆動する携帯端末において、使用可能時間を長時間化すると同時にユーザビリティを向上する。【解決手段】二画面携帯端末１は、左ディスプレイ１１１と右ディスプレイ１２１の２つのディスプレイを有する携帯端末であって、バッテリ残量が所定の残量以下になった場合に、前記２つのディスプレイのいずれか１つを消灯し、消灯したディスプレイの表示画面を消灯しないディスプレイの表示画面と合わせて集約表示する制御を行う表示制御手段１０１を有する。【選択図】図２
2012065109.tif 000002
【特許請求の範囲】
【請求項１】
２つのディスプレイを有する携帯端末であって、
バッテリ残量が所定の残量以下になった場合に、前記２つのディスプレイのいずれか１つを消灯し、消灯したディスプレイの表示画面を消灯しないディスプレイの表示画面と合わせて集約表示する制御を行う表示制御手段を有することを特徴とする、携帯端末。
【請求項２】
前記表示制御手段は、前記２つのディスプレイのいずれか１つを消灯する前に、各ディスプレイの表示画面上に、消灯するディスプレイをユーザに選ばせるダイアローグを表示する制御を行うことを特徴とする、請求項１記載の携帯端末。
【請求項３】
前記表示制御手段は、前記２つのディスプレイのいずれか１つを消灯する前に、ユーザが端末を利用したい時間を問いかけるダイアローグを表示し、該ダイアローグの回答に応じて表示制御を行うことを特徴とする、請求項１又は２記載の携帯端末。
【請求項４】
前記集約表示は、前記消灯しないディスプレイの画面を２分割して前記２つのディスプレイの表示画面を並べて表示するものであることを特徴とする、請求項１から３のいずれか１項記載の携帯端末。
【請求項５】
２つのディスプレイを有する携帯端末の制御方法であって、
バッテリ残量が所定の残量以下になった場合に、前記２つのディスプレイのいずれか１つを消灯する処理と、
消灯したディスプレイの表示画面を消灯しないディスプレイの表示画面と合わせて集約表示する処理と、
を含むことを特徴とする、携帯端末の制御方法。
【請求項６】
２つのディスプレイを有する携帯端末の制御プログラムであって、
前記携帯端末に、
バッテリ残量が所定の残量以下になった場合に、前記２つのディスプレイのいずれか１つを消灯する処理と、
消灯したディスプレイの表示画面を消灯しないディスプレイの表示画面と合わせて集約表示する処理と、
を実行させることを特徴とする、制御プログラム。
【発明の詳細な説明】
【技術分野】
【０００１】
本発明は、携帯端末、その制御方法及びプログラムに関し、特に、２つの画面表示装置を搭載し、バッテリ駆動する携帯端末の使用可能時間を長時間化する技術に関する。
【背景技術】
【０００２】
携帯型の情報端末（以下、「携帯端末」と呼ぶ）の技術分野においては、端末サイズの小型化というニーズがある一方で、情報表示エリアの拡大というニーズもある。一見両立が難しい２つのニーズであるが、例えば、２つの筐体にそれぞれ画面を搭載することによって情報表示エリアの拡大を実現し、ヒンジ機構によりこの２画面を見開き及び折りたたみ可能にすることにより小型化を実現することができる。そのような携帯端末の外観例を図１に図示する。また、同様な外観を持つ携帯端末が開示された先行例として、特許文献１を挙げる。
【０００３】
２画面の携帯端末に限らず、携帯端末のバッテリ稼働時間は商品性やユーザビリティの生命線の一つであることはよく知られている。そして、バッテリ消費は、画面表示装置（ＬＣＤ：Ｌｉｑｕｉｄ  Ｃｒｙｓｔａｌ  Ｄｉｓｐｌａｙや有機ＥＬディスプレイなど）の消費電力にも大きく依存する場合がある。このような観点からなされた発明としては、例えば特許文献２がある。特許文献２には、バッテリを電源として表示パネルを駆動する電子機器において、表示パネルの輝度等をバッテリ残量に基づいて制御することが開示されている。
【先行技術文献】
【特許文献】
【０００４】
【特許文献１】特開２００６−１１３５０１号公報
【特許文献２】特開２００９−００９１８３号公報
【発明の概要】
【発明が解決しようとする課題】
【０００５】
しかしながら、２つの画面表示装置を有する携帯端末において、利用シーンやバッテリ残量などに応じて２つの画面の表示携帯や画面輝度などを制御することにより、バッテリ消費を抑制することについては具体的な記載がない。
【０００６】
２つの画面表示装置を搭載する携帯端末は、画面表示装置の性能や表示面積が同等であれば、当然ながら１つの画面表示装置を搭載する携帯端末に比べ、画面表示装置が消費する電力は単純に２倍になる訳であり、バッテリ駆動時間への影響も大きい。これに対してバッテリ容量を増大させて対応することも考えられるが、端末重量や外形サイズに及ぼす影響を鑑みると、商品性が損なわれる点が問題である。
【０００７】
本発明は、上記実情に鑑みてなされたものであって、２つの画面表示装置を搭載し、バッテリ駆動する携帯端末において、使用可能時間を長時間化すると同時にユーザビリティを向上した携帯端末、その制御方法及びプログラムを提供することを目的とする。
【課題を解決するための手段】
【０００８】
上記目的を達成するために本発明は、第１の態様として、２つのディスプレイを有する携帯端末であって、バッテリ残量が所定の残量以下になった場合に、前記２つのディスプレイのいずれか１つを消灯し、消灯したディスプレイの表示画面を消灯しないディスプレイの表示画面と合わせて集約表示する制御を行う表示制御手段を有することを特徴とする、携帯端末を提供するものである。
【０００９】
また、上記目的を達成するために本発明は、第２の態様として、２つのディスプレイを有する携帯端末の制御方法であって、バッテリ残量が所定の残量以下になった場合に、前記２つのディスプレイのいずれか１つを消灯する処理と、消灯したディスプレイの表示画面を消灯しないディスプレイの表示画面と合わせて集約表示する処理と、を含むことを特徴とする、携帯端末の制御方法を提供するものである。
【００１０】
また、上記目的を達成するために本発明は、第３の態様として、２つのディスプレイを有する携帯端末の制御プログラムであって、前記携帯端末に、バッテリ残量が所定の残量以下になった場合に、前記２つのディスプレイのいずれか１つを消灯する処理と、消灯したディスプレイの表示画面を消灯しないディスプレイの表示画面と合わせて集約表示する処理と、を実行させることを特徴とする、制御プログラムを提供するものである。
【発明の効果】
【００１１】
本発明によれば、２つの画面表示装置を搭載し、バッテリ駆動する携帯端末において、使用可能時間を長時間化すると同時にユーザビリティを向上した携帯端末、その制御方法及びプログラムを提供することが可能となる。
【図面の簡単な説明】
【００１２】
【図１】本発明の実施形態の外観例を示す図である。
【図２】本実施形態の機能構成を示すブロック図である。
【図３】本実施形態における画面表示制御の手順を示すフローチャートである。
【図４】本実施形態における画面表示例を示す図（その１）である。
【図５】本実施形態における画面表示例を示す図（その２）である。
【図６】本実施形態における画面表示例を示す図（その３）である。
【発明を実施するための形態】
【００１３】
図１に、本発明の実施形態の外観例を示す。
本実施形態に係る二画面携帯端末１は、左筐体１１０と右筐体１２０がヒンジ機構等により中央で連結し、各筐体がそれぞれタッチパネルディスプレイの左ディスプレイ１１１と右ディスプレイ１２１を有する構成である。また、二画面携帯端末１は、各ディスプレイ上の任意の点をポイントするポインティングデバイスとしてスタイラスペン１３０を有する。
【００１４】
なお、ここで言う「右」「左」は、各ディスプレイを識別するための便宜的なものであり、上下等でも差し支えない。二画面携帯端末１は、ヒンジ機構部分が図中の矢印方向に回動可能に構成されており、１８０°開くと左ディスプレイ１１１と右ディスプレイ１２１で見開き表示ができる。また、閉じると折りたたみが可能である。
【００１５】
二画面携帯端末１は、図１の外観例には図示しないＣＰＵやメモリなどを有する。そして、二画面携帯端末１は、そのＣＰＵやメモリなどの物理的ハードウェアを利用する組み込みソフトウェアプログラム等も有し、これらハードウェアとソフトウェアの協働により、制御部１００が構成される。
【００１６】
図２に、本実施形態の機能構成を示す。
二画面携帯端末１は、図１で示した左ディスプレイ１１１と右ディスプレイ１２１の他に、端末全体を制御する制御部１００と、端末全体に電力を供給するバッテリ１０３とを有する。制御部１００は、表示制御部１０１と、バッテリモニタ部１０２と、入力制御部１０４とを有する。
【００１７】
表示制御部１０１は、制御部１００による演算結果や制御結果を、左ディスプレイ１１１及び／又は右ディスプレイ１２１を用いて可視的に表示する制御を行う。また、表示制御部１０１は、後述するバッテリ１０３の残量を考慮した省エネ画面表示制御も実行する。
【００１８】
バッテリモニタ部１０２は、バッテリ１０３の残量を監視する機能を備える。所定の残量以下（例えば、５０％以下など：自由に変更可能）に残量が低下したことを検知すると、表示制御部１０１にその旨を伝える。所定の残量は、５０％以下と３０％以下など複数の段階に分かれていてもよいし、常時残量を表示制御部１０１に通知する構成としてもよい。
【００１９】
バッテリ１０３の残量監視の具体的な方法としては、電圧の変化を見る方法や端末使用時間の長さを見る方法など、当業者に知られている種々の方法を用いることができる。
【００２０】
入力制御部１０４は、左ディスプレイ１１１及び／又は右ディスプレイ１２１のタッチパネル機能により入力された情報（ポイント箇所やクリック／ダブルクリックなど）を解析し、ユーザによる入力として制御部１０４に伝える制御を行う。
【００２１】
左ディスプレイ１１１と右ディスプレイ１２１は、タッチパネルディスプレイであり、制御部１０４による演算結果や制御結果を可視的に表示する。具体的には、グラフィカルユーザインタフェースにより、両画面にデスクトップ画面を表示したり、片側にデスクトップ、残る片側にアプリケーションのウィンドウを全画面表示したりすることができる。両画面に同じアプリケーションのウィンドウを展開してもよく、異なるアプリケーションでもよい。
【００２２】
また、左ディスプレイ１１１と右ディスプレイ１２１は、ＬＣＤや有機ＥＬディスプレイ等を用いることができるが、本実施形態では有機ＥＬを採用する。
【００２３】
上記の構成を備える二画面携帯端末１による画面表示制御の手順を説明する。
図３に、本実施形態におけるバッテリ１０３の残量を考慮した省エネ画面表示制御の手順を示す。なお、図３に示す各処理の主体は、特に言及がない限り、表示制御部１０１である。
【００２４】
まず、表示制御部１０１は、バッテリモニタ部１０２からバッテリ１０３のバッテリ残量が所定の残量以下になった旨の通知を受けるまで、省エネ画面表示制御の開始を待機する（ステップＳ１０１）。ここで、所定の残量とは、例えば、５０％や３０％等、任意に定めることができる。
【００２５】
図４に、このような省エネ画面表示制御の開始前の画面表示例を示す。
図示のように、左ディスプレイ１１１には画面表示Ａが、右ディスプレイ１２１には画面表示Ｂがそれぞれ表示されている。画面表示Ａと画面表示Ｂが表示するアプリケーションは同一のものでも、また異なっていてもよい。以下、本実施形態による表示画面の遷移を図４に示した画面表示例をベースに説明する。
【００２６】
図３において、表示制御部１０１がバッテリ残量が所定の残量以下になった旨の通知を受けると、表示制御部１０１は、省エネ表示モードへ移行する旨をユーザにダイアローグで通知する（ステップＳ１０２）。
【００２７】
ダイアローグは、各表示画面のフォアグランドに、押せばそのディスプレイが消灯する消灯ボタンを配置するようなものでもよい。
図５に、このようなダイアローグが表示された画面表示例を示す。
図５においては、各表示画面のフォアグランドに、消灯ボタン１３１がそれぞれ配置されている。ユーザがスタイラスペン１３０を用いて消灯ボタン１３１をポイントすることにより、消灯ボタン１３１がポイントされた側のディスプレイが消灯する。
【００２８】
図３において、表示制御部１０１は、入力制御部１０４から消灯ボタン１３１がポイントされた側のディスプレイの情報を受け取り、当該ディスプレイを消灯する（ステップＳ１０３）。なお、一定時間ユーザによる消灯ボタン１３１のポイントが検知されない場合は、デフォルトで例えば右ディスプレイ１２１を消灯するように構成してもよい。
【００２９】
次に、表示制御部１０１は、残る片側のディスプレイに、画面表示を集約して表示する処理を行う（ステップＳ１０４）。画面表示の集約の態様は、第１に、画面表示の縦横比を保ったまま上下又は左右に並べて表示する、第２に、画面を上下に２分割し、縦横比を崩して上下に並べて表示する、第３に、消灯しないディスプレイの画面表示をそのままにフロートウィンドウを形成し、当該フロートウィンドウに消灯したディスプレイの画面表示を行う、など、種々の態様を用いることができる。また、第４の集約の態様として、いずれかの画面に何もアプリケーションウィンドウが表示されていない状態（デスクトップ画面が表示されている状態）の画面がある場合には、当該画面を消灯するように構成してもよい。
【００３０】
上記第１の集約の態様は、集約前に比べて表示が小さくなるものの縦横比が変わらないというメリットがある。第２の集約の態様は、表示が可能な領域を最大限利用することができ、効率的であるというメリットがある。第３の集約の態様は、消灯した側のディスプレイの画面表示が小さくなるものの集約前と画面表示が大きく変わらないというメリットがある。
【００３１】
図６に、左ディスプレイ１１１の表示を消灯せずに残し、左ディスプレイ１１１の画面を上下に２分割し、２つの画面表示を上下に並べて表示する画面表示例を示す。図示のように、右ディスプレイ１２１は、消灯ボタン１３１が押され、消灯している。
【００３２】
以上で、本実施形態におけるバッテリ１０３の残量を考慮した省エネ画面表示制御の手順の説明を終える。
【００３３】
本実施形態によれば、二画面携帯端末において、バッテリ残量に応じて片側を消灯することで、端末を全く利用できなくなるまでの時間を長時間化させることができる。その一方で、消灯の際に画面表示を集約することで、両画面の画面表示は継続して見ることができ、消灯によって損なわれる不便さをある程度吸収することができる。したがって、本実施形態によれば、ユーザビリティが向上する。
【００３４】
また、本実施形態によれば、図５に示したように、２つのディスプレイのいずれか１つを消灯する前に、各ディスプレイの表示画面上に、消灯するディスプレイをユーザに選ばせるダイアローグを表示する。このため、端末側の一方的な判断で消灯するディスプレイが選ばれるのではなく、ユーザが任意のディスプレイを消灯することを選択できるので、ユーザのニーズに適切に対応することができる。
【００３５】
本実施形態は、上記説明例に限定されず、種々の変形実施が可能である。例えば、図３のフローチャートにおける消灯処理（ステップＳ１０３）と集約処理（ステップＳ１０４）は、入れ替えて実施しても差し支えない。
【００３６】
他に、本実施形態による消灯処理と集約処理を実行した後に、さらにバッテリ残量がある所定の残量以下になると、消灯していないディスプレイをモノクロ化してもよい。この場合、端末を全く利用できなくなるまでの時間をさらに長時間化させることができる。とりわけ、各ディスプレイのデバイスに有機ＥＬを採用する場合、デバイス自体が発光するため、カラーよりもモノクロの方が消費電力を低減することができ、長時間化の効果が顕著である。
【００３７】
なお、上記モノクロ化と一画面化の順序は、逆でもよい。また、モノクロ化と一画面化に加えて、輝度制御を実行してもよい。バッテリ残量がある所定の残量以下になると、表示制御部１０１が、左ディスプレイ１１１及び／又は右ディスプレイ１２１の輝度を落とす制御を実行する。輝度を落とすことにより消費電力は低減し、利用時間の長時間化にさらに貢献する。
【００３８】
また、他に、本実施形態による省エネ表示モードへ移行する旨の通知処理（図３のステップＳ１０２）の際に、単に消灯ボタン１３１を表示することに替えて、ユーザに対し「あと何時間端末を使用するか」を問いかけるダイアローグを表示してもよい。つまり、ユーザに対し、おおよその希望利用時間を問いかけるダイアローグである。このダイアローグに対するユーザの回答（使用時間）とバッテリ残量による稼働可能時間を、制御部１００が計算し、計算結果に基づいて表示制御部１０１による一画面化／モノクロ化／輝度制御を実行する。この構成によれば、ユーザのニーズに適切に対応した表示制御可能になる。
【符号の説明】
【００３９】
１    二画面携帯端末
１００    制御部
１０１    表示制御部
１０２    バッテリモニタ部
１０３    バッテリ
１０４    入力制御部
１１０    左筐体
１１１    左ディスプレイ
１２０    右筐体
１２１    右ディスプレイ
１３０    スタイラスペン
１３１    消灯ボタン
【図１】
2012065109.tif 000003
【図２】
2012065109.tif 000004
【図３】
2012065109.tif 000005
【図４】
2012065109.tif 000006
【図５】
2012065109.tif 000007
【図６】
2012065109.tif 000008